【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
対物レンズと、
球面収差を補正する補正装置と、
観察対象物であるサンプルの観察を開始する前に、前記サンプルを用いて前記サンプルに対する前記対物レンズの相対位置と前記相対位置に応じて生じる球面収差が補正された状態における前記補正装置の設定値である最適値との複数の組み合わせを取得し、取得した前記複数の組み合わせに基づいて前記相対位置と前記最適値との関係を示す関数を補間により算出し、前記サンプルの観察を行うときに、前記サンプルを用いて算出された前記関数と前記対物レンズの光軸に直交する前記サンプルの観察対象面から決定される前記相対位置とに基づいて前記観察対象面に応じた前記最適値を算出する制御装置と、
前記サンプルの観察を行うときに、前記制御装置で算出された前記最適値に従って前記補正装置を駆動する補正装置駆動装置と、を備える
ことを特徴とする顕微鏡システム。
【請求項２】
請求項１に記載の顕微鏡システムにおいて、
前記補正装置は、前記対物レンズ内のレンズを移動させる補正環である
ことを特徴とする顕微鏡システム。
【請求項３】
請求項２に記載の顕微鏡システムにおいて、
前記制御装置は、複数の前記相対位置を指定する観察者による入力を受け付けて、受け付けた前記相対位置毎に前記設定値を変更しながら取得した前記サンプルの複数の画像データの各々からコントラスト評価法または明るさ評価法により算出した評価値が最大となる前記設定値を前記最適値として決定し、前記相対位置と前記最適値との前記複数の組み合わせを取得する
ことを特徴とする顕微鏡システム。
【請求項４】
請求項２に記載の顕微鏡システムにおいて、
前記制御装置は、複数の前記相対位置を指定する観察者による入力を受け付けて、受け付けた前記相対位置毎に前記設定値を変更しながら取得した前記サンプルの複数の画像データの各々からコントラスト評価法または明るさ評価法により算出した評価値と前記設定値との関係を示すグラフを表示装置に表示させ、受け付けた前記相対位置毎に前記設定値を指定する観察者による入力を受け付けて、受け付けた前記設定値を前記最適値として決定し、前記相対位置と前記最適値との前記複数の組み合わせを取得する
ことを特徴とする顕微鏡システム。
【請求項５】
請求項４に記載の顕微鏡システムにおいて、
前記制御装置は、前記グラフを表示した前記表示装置への接触を検出して、接触を検出した位置にある前記グラフ上の点に対応する前記設定値を前記最適値として決定する
ことを特徴とする顕微鏡システム。
【請求項６】
請求項２に記載の顕微鏡システムにおいて、
前記制御装置は、前記相対位置及び前記補正装置の設定値を変更しながら取得された前記サンプルの複数の画像データの各々からコントラスト評価法または明るさ評価法により算出した評価値と前記相対位置と前記設定値との関係を示す３次元情報を図示して表示装置に表示させ、前記３次元情報上で複数点を指定する観察者による入力を受け付けて、受け付けた前記複数点の各々が示す前記設定値と前記相対位置の組み合わせを前記複数の組み合わせとして取得する
ことを特徴とする顕微鏡システム。
【請求項７】
請求項３乃至請求項６のいずれか１項に記載の顕微鏡システムにおいて、
前記制御装置は、前記サンプル内の評価対象とすべき範囲を指定する観察者による入力を受け付けて、前記受け付けた範囲内で前記評価値を算出する
ことを特徴とする顕微鏡システム。
【請求項８】
請求項１乃至請求項７のいずれか１項に記載の顕微鏡システムにおいて、
前記制御装置は、前記観察対象面を指定する観察者による入力を受け付けて、前記関数と受け付けた前記観察対象面から決定される前記相対位置とに基づいて前記観察対象面に応じた前記最適値を算出する
ことを特徴とする顕微鏡システム。
【請求項９】
対物レンズと球面収差を補正する補正装置と前記補正装置を駆動する補正装置駆動装置とを備える顕微鏡システムのプログラムであって、
観察対象であるサンプルの観察を開始する前に、
前記サンプルを用いて前記サンプルに対する前記対物レンズの相対位置と前記相対位置に応じて生じる球面収差が補正された状態における前記補正装置の設定値である最適値との複数の組み合わせを取得し、
取得した前記複数の組み合わせから補間により前記相対位置と前記最適値との関係を示す関数を算出し、
前記サンプルの観察を行うときに、
前記サンプルを用いて算出された前記関数と前記対物レンズの光軸に直交する前記サンプルの観察対象面から決定される前記相対位置とに基づいて前記観察対象面に応じた前記最適値を算出し、
前記補正装置駆動装置に、算出された前記最適値に従って前記補正装置を駆動させる
処理をコンピュータに実行させることを特徴とするプログラム。
【請求項１０】
対物レンズと球面収差を補正する補正装置と前記補正装置を駆動する補正装置駆動装置とを備える顕微鏡システムを用いた、観察対象に応じた球面収差を補正する方法であって、
観察対象物であるサンプルの観察を開始する前に、
前記サンプルを用いて前記サンプルに対する前記対物レンズの相対位置と前記相対位置に応じて生じる球面収差が補正された状態における前記補正装置の設定値である最適値との複数の組み合わせを取得し、
取得した前記複数の組み合わせから補間により前記相対位置と前記最適値との関係を示す関数を算出し、
前記サンプルの観察を行うときに、
前記サンプルを用いて算出された算出された前記関数と前記対物レンズの光軸に直交する前記サンプルの観察対象面から決定される前記相対位置とに基づいて前記観察対象面に応じた前記最適値を算出し、
前記補正装置駆動装置に、算出された前記最適値に従って前記補正装置を駆動させる
ことを特徴とする方法。
【手続補正２】
【補正対象書類名】明細書
【補正対象項目名】発明の名称
【補正方法】変更
【補正の内容】
【発明の名称】顕微鏡システム、プログラム、及び球面収差を補正する方法
【手続補正３】
【補正対象書類名】明細書
【補正対象項目名】０００１
【補正方法】変更
【補正の内容】
【０００１】
本発明は、顕微鏡システム、顕微鏡システムのプログラム、及び球面収差を補正する方法に関する。
【手続補正４】
【補正対象書類名】明細書
【補正対象項目名】００１０
【補正方法】変更
【補正の内容】
【００１０】
本発明の第１の態様は、対物レンズと、球面収差を補正する補正装置と、観察対象物であるサンプルの観察を開始する前に、前記サンプルを用いて前記サンプルに対する前記対物レンズの相対位置と前記相対位置に応じて生じる球面収差が補正された状態における前記補正装置の設定値である最適値との複数の組み合わせを取得し、取得した前記複数の組み合わせに基づいて前記相対位置と前記最適値との関係を示す関数を補間により算出し、前記サンプルの観察を行うときに、前記サンプルを用いて算出された前記関数と前記対物レンズの光軸に直交する前記サンプルの観察対象面から決定される前記相対位置とに基づいて前記観察対象面に応じた前記最適値を算出する制御装置と、前記サンプルの観察を行うときに、前記制御装置で算出された前記最適値に従って前記補正装置を駆動する補正装置駆動装置と、を備える、顕微鏡システムを提供する。
【手続補正５】
【補正対象書類名】明細書
【補正対象項目名】００１８
【補正方法】変更
【補正の内容】
【００１８】
本発明の第９の態様は、対物レンズと球面収差を補正する補正装置と前記補正装置を駆動する補正装置駆動装置とを備える顕微鏡システムのプログラムであって、観察対象であるサンプルの観察を開始する前に、前記サンプルを用いて前記サンプルに対する前記対物レンズの相対位置と前記相対位置に応じて生じる球面収差が補正された状態における前記補正装置の設定値である最適値との複数の組み合わせを取得し、取得した前記複数の組み合わせから補間により前記相対位置と前記最適値との関係を示す関数を算出し、前記サンプルの観察を行うときに、前記サンプルを用いて算出された前記関数と前記対物レンズの光軸に直交する前記サンプルの観察対象面から決定される前記相対位置とに基づいて前記観察対象面に応じた前記最適値を算出し、前記補正装置駆動装置に、算出された前記最適値に従って前記補正装置を駆動させる処理をコンピュータに実行させる、プログラムを提供する。
本発明の第１０の態様は、対物レンズと球面収差を補正する補正装置と前記補正装置を駆動する補正装置駆動装置とを備える顕微鏡システムを用いた、観察対象に応じた球面収差を補正する方法であって、観察対象物であるサンプルの観察を開始する前に、前記サンプルを用いて前記サンプルに対する前記対物レンズの相対位置と前記相対位置に応じて生じる球面収差が補正された状態における前記補正装置の設定値である最適値との複数の組み合わせを取得し、取得した前記複数の組み合わせから補間により前記相対位置と前記最適値との関係を示す関数を算出し、前記サンプルの観察を行うときに、前記サンプルを用いて算出された算出された前記関数と前記対物レンズの光軸に直交する前記サンプルの観察対象面から決定される前記相対位置とに基づいて前記観察対象面に応じた前記最適値を算出し、前記補正装置駆動装置に、算出された前記最適値に従って前記補正装置を駆動させることを特徴とする方法。